(57)【要約】      （修正有）【課題】画質を優先した読み取り又は読み取り速度を優先した読み取りを選択できる画像読み取り装置を提供する。【解決手段】原稿から画像を読み取るための画像読み取り装置であって、画像の読み取り領域の最小単位に相当する相対移動量毎に検出信号を出力する検出センサと、各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備える。制御部は、各サイクルにおける最後の色の電荷の取り出し動作後から検出信号の出力までの期間にて、光電変換素子の電荷を廃棄する廃棄処理を行う第１制御と、前記廃棄処理を行わない第２制御との何れか一方を、所定の条件情報に基づいて選択して実行する。【選択図】図１３
2008005117.tif 000002
【特許請求の範囲】
【請求項１】
原稿から画像を読み取るための画像読み取り装置であって、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行することを特徴とする画像読み取り装置。
【請求項２】
請求項１に記載の画像読み取り装置において、
前記条件情報は、前記画像の読み取り領域の最小単位を規定する読み取り解像度の情報であり、
前記制御部は、前記読み取り解像度が第１解像度の場合には前記第１制御を選択する一方、前記読み取り解像度が前記第１解像度よりも低い第２解像度の場合には前記第２制御を選択することを特徴とする画像読み取り装置。
【請求項３】
請求項１に記載の画像読み取り装置において、
前記条件情報は、前記光電変換素子と前記原稿とを相対移動させるための移動速度の目標値の情報であり、
前記目標値は、前記画像からの画像の読み取り開始から読み取り終了までに亘って一定値であり、
前記制御部は、前記目標値が第１速度の場合には前記第１制御を選択する一方、前記目標値が前記第１速度よりも大きい第２速度の場合には前記第２制御を選択することを特徴とする画像読み取り装置。
【請求項４】
請求項１に記載の画像読み取り装置において、
前記条件情報は、前記光電変換素子と前記原稿とを相対移動させるための移動速度のばらつきの大きさの情報であり、
前記制御部は、前記ばらつきの大きさが所定の閾値以上の場合には前記第１制御を選択する一方、前記ばらつきの大きさが前記閾値未満の場合には前記第２制御を選択することを特徴とする画像読み取り装置。
【請求項５】
請求項１に記載の画像読み取り装置において、
前記条件情報は、前記第１制御及び前記第２制御の何れか一方が選択されたことを示す情報であり、
前記情報をユーザーが入力するための入力部を備えていることを特徴とする画像読み取り装置。
【請求項６】
請求項１乃至５のいずれかに記載の画像読み取り装置において、
前記原稿を載置するための原稿台と、前記駆動機構によって前記所定方向に移動されるキャリッジとを有し、
前記キャリッジには、前記光源と前記光電変換素子とが固設されていることを特徴とする画像読み取り装置。
【請求項７】
請求項１乃至６のいずれかに記載の画像読み取り装置において、
前記光源は、赤色成分の光のみを発する赤色発光ダイオードと、緑色成分の光のみを発する緑色発光ダイオードと、青色成分の光のみを発する青色発光ダイオードとを有し、
前記制御部は、各サイクルにおいて、前記所定時間おきに各色につき１回ずつ前記色順に前記発光ダイオードを点灯し、点灯から前記受光時間だけ経過後に消灯し、消灯後であって次の色の発光ダイオードの点灯前に、電荷を前記光電変換素子から取り出すことを特徴とする画像読み取り装置。
【請求項８】
請求項７に記載の画像読み取り装置において、
前記サイクル毎に、前記検出信号の出力時点を起点として前記所定時間おきにクロックパルスを出力するクロックパルス生成部であって、前記検出信号の出力時点に同期させて最初のクロックパルスを出力するクロックパルス生成部を前記制御部は有し、
前記第１制御が選択された場合に前記制御部は、前記クロックパルス生成部から出力されるクロックパルスに基づいて、前記色順に前記発光ダイオードを点灯させるとともに、点灯に用いたクロックパルスの次のクロックパルスに基づいて電荷を前記光電変換素子から取り出す取り出し動作を行い、
前記サイクルにおける最後の色成分の電荷の取り出し後から前記検出信号の出力までの間に前記光電変換素子に蓄積される電荷を、前記検出信号の出力に基づいて廃棄することを特徴とする画像読み取り装置。
【請求項９】
請求項７又は８に記載の画像読み取り装置において、
前記第２制御が選択された場合に前記制御部は、前記クロックパルスに基づいて、前記色順に前記発光ダイオードを点灯させるとともに、点灯に用いたクロックパルスの次のクロックパルスに基づいて電荷を前記光電変換素子から取り出す取り出し動作を行い、
前記サイクルにおける最後の色成分については、前記検出信号の出力に基づいて前記最後の色成分の電荷を前記光電変換素子から取り出すことを特徴とする画像読み取り装置。
【請求項１０】
請求項９に記載の画像読み取り装置において、
前記画像の読み取り領域の最小単位に相当する相対移動量をＤとし、前記光電変換素子と前記原稿とを相対移動させるための移動速度の目標値をＶとすると、
前記第２制御が選択された場合の前記クロックパルスの出力周期ｔは、ｔ＝（Ｄ／Ｖ）／３に設定されることを特徴とする画像読み取り装置。
【請求項１１】
請求項１乃至１０のいずれかに記載の画像読み取り装置において、
前記光電変換素子は、前記所定方向と交差する交差方向に複数設けられていることを特徴とする画像読み取り装置。
【請求項１２】
原稿から画像を読み取るための画像読み取り装置であって、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行し、
前記条件情報は、前記画像の読み取り領域の最小単位を規定する読み取り解像度の情報であり、前記制御部は、前記読み取り解像度が第１解像度の場合には前記第１制御を選択する一方、前記読み取り解像度が前記第１解像度よりも低い第２解像度の場合には前記第２制御を選択し、
前記原稿を載置するための原稿台と、前記駆動機構によって前記所定方向に移動されるキャリッジとを有し、前記キャリッジには、前記光源と前記光電変換素子とが固設されており、
前記光源は、赤色成分の光のみを発する赤色発光ダイオードと、緑色成分の光のみを発する緑色発光ダイオードと、青色成分の光のみを発する青色発光ダイオードとを有し、前記制御部は、各サイクルにおいて、前記所定時間おきに各色につき１回ずつ前記色順に前記発光ダイオードを点灯し、点灯から前記受光時間だけ経過後に消灯し、消灯後であって次の色の発光ダイオードの点灯前に、電荷を前記光電変換素子から取り出し、
前記サイクル毎に、前記検出信号の出力時点を起点として前記所定時間おきにクロックパルスを出力するクロックパルス生成部であって、前記検出信号の出力時点に同期させて最初のクロックパルスを出力するクロックパルス生成部を前記制御部は有し、前記第１制御が選択された場合に前記制御部は、前記クロックパルス生成部から出力されるクロックパルスに基づいて、前記色順に前記発光ダイオードを点灯させるとともに、点灯に用いたクロックパルスの次のクロックパルスに基づいて電荷を前記光電変換素子から取り出す取り出し動作を行い、前記サイクルにおける最後の色成分の電荷の取り出し後から前記検出信号の出力までの間に前記光電変換素子に蓄積される電荷を、前記検出信号の出力に基づいて廃棄し、
前記第２制御が選択された場合に前記制御部は、前記クロックパルスに基づいて、前記色順に前記発光ダイオードを点灯させるとともに、点灯に用いたクロックパルスの次のクロックパルスに基づいて電荷を前記光電変換素子から取り出す取り出し動作を行い、前記サイクルにおける最後の色成分については、前記検出信号の出力に基づいて前記最後の色成分の電荷を前記光電変換素子から取り出し、
前記画像の読み取り領域の最小単位に相当する相対移動量をＤとし、前記光電変換素子と前記原稿とを相対移動させるための移動速度の目標値をＶとすると、前記第２制御が選択された場合の前記クロックパルスの出力周期ｔは、ｔ＝（Ｄ／Ｖ）／３に設定され、
前記光電変換素子は、前記所定方向と交差する交差方向に複数設けられていることを特徴とする画像読み取り装置。
【請求項１３】
コンピュータと、該コンピュータに通信可能に接続された、原稿から画像を読み取る画像読み取り装置とを備えた画像読み取りシステムであって、
前記画像読み取り装置は、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行することを特徴とする画像読み取りシステム。
【発明の詳細な説明】
【技術分野】
【０００１】
本発明は、原稿から画像を読み取るための画像読み取り装置及び画像読み取りシステムに関する。
【背景技術】
【０００２】
原稿から画像を読み取るための画像読み取り装置は、既によく知られている。この画像読み取り装置は、（ａ）原稿に対して所定方向に相対移動しながら前記原稿からの光を受光して、受けた光の量に応じた量の電荷を蓄える光電変換素子と、（ｂ）前記所定方向に関する相対移動量を検出して、読み取るべき画素の大きさに相当する相対移動量毎に検出信号を出力するエンコーダと、を備えている。
【０００３】
そして、（ａ）原稿からの光を、規定の色順で（例えばＲ（赤色）→Ｇ（緑色）→Ｂ（青色）の順番で）、各色成分につき一回ずつ所定の受光時間だけ前記光電変換素子に受光させる受光動作と、（ｂ）前記受光時間の受光の度に光電変換素子から電荷を取り出す動作（以下、電荷取り出し動作と言う）とを１サイクルとし、当該サイクルを、前記エンコーダから前記検出信号が出力される度に繰り返し実行することによって前記画像を読み取るようになっている（例えば、特許文献１を参照）。
【特許文献１】特開平１１− ５５４７１号公報
【発明の開示】
【発明が解決しようとする課題】
【０００４】
このような画像読み取り装置のなかには、上述の受光動作及び電荷取り出し動作を、前記エンコーダからの検出信号ＥＰと、この検出信号ＥＰを起点として所定時間ｔおきに出力されるクロックパルスＣＰとに基づいて行うものがある（以下、これを第２制御と言う）。
【０００５】
図１７Ａは、この第２制御による受光動作及び電荷取り出し動作の動作タイミングの説明図である。図１７Ａに示すように、前記サイクル毎に、エンコーダの検出信号ＥＰの出力を起点として所定時間ｔおきに１番目から３番目までの３つのクロックパルスＣＰ（＃１），ＣＰ（＃２），ＣＰ（＃３）が出力されている。詳しくは、前記検出信号ＥＰに同期して１番目のクロックパルスＣＰ（＃１）が出力され、それから所定時間ｔだけ経過後に２番目のクロックパルスＣＰ（＃２）が出力され、更にそこから所定時間ｔだけ経過後に３番目のクロックパルスＣＰ（＃３）が出力されている。ちなみに、同図中において、３番目のクロックパルスＣＰ（＃３）とその次のサイクルの１番目のクロックパルスＣＰ（＃１）との間の時間をｔ’と表記しているのは、検出信号ＥＰの出力遅れに応じて前記１番目のクロックパルスＣＰ（＃１）の出力タイミングが変動するためである。すなわち、検出信号ＥＰの出力遅れのない理想状態の場合には、同図に示すように前記ｔ’は前記所定時間ｔに一致する。
【０００６】
そして、この第２制御では、先ずエンコーダからの検出信号ＥＰの出力タイミングで出力される前記１番目のクロックパルスＣＰ（＃１）に基づいて、ＲＧＢの各色成分のうちの１色目（例えばＲ成分）の光の受光動作が行われ、これによって、光電変換素子には、概ねその受光時間Ｔに受けた光の量に応じた電荷が蓄積される。そして、この電荷は、２番目のクロックパルスＣＰ（＃２）に基づき、前記１色目の電荷として光電変換素子から取り出される。
【０００７】
この２番目のクロックパルスＣＰ（＃２）に基づいては、２色目（例えばＧ成分）の光の受光動作も行われ、これによって、光電変換素子には、概ねその受光時間Ｔに受けた光の量に応じた電荷が蓄積される。そして、この電荷は、３番目のクロックパルスＣＰ（＃３）に基づき、前記２色目の電荷として光電変換素子から取り出される。
【０００８】
この３番目のクロックパルスＣＰ（＃３）に基づいては、３色目（例えばＢ成分）の光の受光動作も行われ、これによって、光電変換素子には、概ねその受光時間Ｔに受けた光の量に応じた電荷が蓄積される。そして、この電荷は、エンコーダの次の検出信号ＥＰの出力タイミングで出力される１番目のクロックパルスＣＰ（＃１）に基づいて、前記３色目の電荷として光電変換素子から取り出される。これにより、ＲＧＢの全３色の電荷が取り出され、もって、前記所定方向に関して１画素分の画像が読み取られたことになる。
【０００９】
しかしながら、この第２制御では、特に３色目（例えばＢ成分）の電荷が、前記受光時間Ｔにて本来蓄積されるべき電荷の量よりも多くなってしまい、読み取られた画像の画質の低下を招いてしまうという問題を有している。
【００１０】
この原因は、前記所定方向の相対移動に関して移動速度のばらつきがある場合に、このばらつきに起因して、図１７Ｂに示すように、３色目（例えばＢ成分）の受光時間Ｔの終了からエンコーダからの検出信号ＥＰが出力されるまでの時間が、図１７Ａに示した理想状態よりも遅延時間ｔｄだけ長く延びてしまうことに因る。つまり、受光時間Ｔの終了後において受光動作が行われていなくても、光電変換素子には暗電流等により電荷が蓄積されることがあって、エンコーダからの検出信号の出力が遅延時間ｔｄだけ遅れてしまうと、３色目（例えばＢ成分）の電荷だけが、本来の蓄積量よりも余分に蓄積されてしまうことになるからである。そして、この３色目（例えばＢ成分）の余分の電荷の蓄積は、当該電荷に基づいて生成される画像データの精度に直接影響し、もって、読み取って得られた画像データの画質低下を招くことになる。
【００１１】
このような画質低下を抑制するための第１制御としては、以下が考えられる。図１７Ｃは、この第１制御の受光動作及び電荷取り出し動作の動作タイミングの説明図である。ここで、第２制御との主な相違点は、前述の第２制御では、エンコーダの検出信号ＥＰの出力毎にクロックパルスＣＰが３つ出力されていたところ、この第１制御では１番目から４番目までの４つのクロックパルスＣＰ（＃１），ＣＰ（＃２），ＣＰ（＃３），ＣＰ（＃４）が出力されている点と、その４番目のクロックパルスＣＰ（＃４）に基づいて行われる３色目（例えばＢ成分）の電荷取り出し動作の後に、暗電流等により余分に蓄積される電荷を廃棄するための廃棄処理が行われる点とにある。
【００１２】
すなわち、図１７Ｃに示すように、この第１制御では、第２制御と同様に、先ず１番目のクロックパルスＣＰ（＃１）に基づいて１色目（例えばＲ成分）の光の受光動作が行われ、２番目のクロックパルスＣＰ（＃２）に基づいて１色目の電荷取り出し動作及び２色目（例えばＧ成分）の光の受光動作が行われ、３番目のクロックパルスＣＰ（＃３）に基づいて２色目の電荷取り出し動作及び３色目（例えばＢ成分）の光の受光動作が行われる。そして、この３色目の光を受光時間だけ受けた光電変換素子は、概ね前記受光時間に受けた光の量に応じた電荷を蓄積している。ここまでは、第２制御と同じである。
【００１３】
そうしたら、この第１制御では、この３色目（例えばＢ成分）の電荷は、エンコーダからの次の検出信号ＥＰの出力タイミングではなくて、４番目のクロックパルスＣＰ（＃４）に基づいて光電変換素子から取り出される。
【００１４】
そして、前記次の検出信号ＥＰの出力タイミングでは、光電変換素子から電荷が取り出されるが、この電荷取り出し動作によって、３色目の電荷取り出し動作の後から検出信号ＥＰの出力までの間に暗電流等起因で蓄積される余分な電荷が廃棄されることになる。よって、第２制御で懸念されたような検出信号ＥＰの出力遅れが生じても、前記廃棄処理によって、余分な電荷に起因した画質低下を起こすことは抑制されるのである。
【００１５】
但し、この第１制御は、電荷の廃棄処理を行う分だけ、第２制御よりも読み取り速度が遅くなるという短所がある。すなわち、図１７Ａと図１７Ｃの対比から明らかなように、図１７Ｃの第１制御では、４番目のクロックパルスＣＰ（＃４）を発生させる分の所定時間ｔだけ、図１７Ａの第２制御よりも読み取りに要する時間が長くなる。  
また、読み取り速度と画質のいずれを優先させて読み取りたいかの要望は、その場の状況において変わり得るものである。  
従って、その場の状況に応じて、第１制御と第２制御とを選択できるようにすれば便利である。
【００１６】
本発明は、上記課題に鑑みてなされたものであり、その目的は、画質を優先した読み取り又は読み取り速度を優先した読み取りを選択できて利便性に優れた画像読み取り装置等を提供することにある。
【課題を解決するための手段】
【００１７】
前記目的を達成するための主たる発明は、
原稿から画像を読み取るための画像読み取り装置であって、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行することを特徴とする画像読み取り装置である。
【００１８】
本発明の他の特徴は、本明細書及び添付図面の記載により明らかにする。
【発明を実施するための最良の形態】
【００１９】
本明細書及び添付図面の記載により、少なくとも以下の事項が明らかとなる。
【００２０】
原稿から画像を読み取るための画像読み取り装置であって、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行することを特徴とする画像読み取り装置。  
このような画像読み取り装置によれば、画質及び読み取り速度のうちで画質を優先させる場合には、第１制御を選択すれば良く、他方、読み取り速度を優先させる場合には、第２制御を選択すれば良く、利便性に優れる。
【００２１】
詳しくは、第１制御を選択すれば、前記サイクルにおける最後の色の電荷の取り出し動作の後から前記検出信号の出力までの期間にて、前記光電変換素子の電荷を廃棄する廃棄処理が行われる。よって、前記検出信号の出力遅れに伴って起こり得る画像の読み取り不良現象、すなわち、前記受光時間にて蓄積されるべき本来の電荷の量よりも、前記検出信号の出力遅れ分だけ暗電流起因等で電荷が余分に蓄積されてしまうことを有効に抑制できて、その結果として、画像の画質を良好にすることができる。他方、第２制御を選択すれば、画像の読み取りの際に上述の廃棄処理が行われないので、当該廃棄処理に要する時間だけ上述の第１制御よりも高速で画像の読み取りを行える。よって、その場の状況に応じて、画質を優先するか又は読み取り速度を優先するかの選択ができて、利便性に優れたものとなる。
【００２２】
かかる画像読み取り装置において、
前記条件情報は、前記画像の読み取り領域の最小単位を規定する読み取り解像度の情報であり、
前記制御部は、前記読み取り解像度が第１解像度の場合には前記第１制御を選択する一方、前記読み取り解像度が前記第１解像度よりも低い第２解像度の場合には前記第２制御を選択するのが望ましい。  
このような画像読み取り装置によれば、それによる読み取り動作は、ユーザーのニーズに合ったものとなる。すなわち、通常、読み取り解像度が高い場合には画質が問われ、低い場合には読み取り速度が問われるが、上述の画像読み取り装置によれば、読み取り解像度が高い第１解像度の場合には、画質の良化が図れる第１制御が選択される一方、前記第１解像度よりも低い第２解像度の場合には、読み取り速度の高速化が図れる第２制御が選択されることになり、その結果、ユーザーのニーズに合致した読み取り動作が行われる。
【００２３】
かかる画像読み取り装置において、
前記条件情報は、前記光電変換素子と前記原稿とを相対移動させるための移動速度の目標値の情報であり、
前記目標値は、前記画像からの画像の読み取り開始から読み取り終了までに亘って一定値であり、
前記制御部は、前記目標値が第１速度の場合には前記第１制御を選択する一方、前記目標値が前記第１速度よりも大きい第２速度の場合には前記第２制御を選択するのが望ましい。  
このような画像読み取り装置によれば、前記暗電流等に起因した画質の低下を確実に抑制しながらも、不必要に第１制御を行ってしまい無駄に読み取り速度を落としてしまうことを有効に防ぐことができる。  
すなわち、一般に制御対象が速度の場合には、その速度が低速なほど、前記駆動機構の摩擦等の機械的抵抗等に起因して制御性が悪くなり易く、その結果、前記検出信号の出力遅れが大きくなって、前記暗電流等に起因した画質の低下が生じ易くなる。  
この点につき、上述の画像読み取り装置にあっては、前記暗電流等に起因した画質の低下が生じ易い低速の第１速度の場合には、第１制御を行う一方、前記画質の低下が生じ難い高速の第２速度の場合には、第２制御が行われる。よって、前記画質の低下を確実に抑制しつつも、不必要に第１制御を行って無駄に読み取り速度を落としてしまうことを有効に防ぐことができる。
【００２４】
かかる画像読み取り装置において、
前記条件情報は、前記光電変換素子と前記原稿とを相対移動させるための移動速度のばらつきの大きさの情報であり、
前記制御部は、前記ばらつきの大きさが所定の閾値以上の場合には前記第１制御を選択する一方、前記ばらつきの大きさが前記閾値未満の場合には前記第２制御を選択するのが望ましい。  
このような画像読み取り装置によれば、前記暗電流等に起因した画質の低下を確実に抑制しながらも、不必要に第１制御を行ってしまい無駄に読み取り速度を落としてしまうことを有効に防ぐことができる。  
すなわち、一般に移動速度のばらつきが大きい場合には、上述の検出信号の出力遅れが大きくなるので、前記暗電流等に起因した画質の低下が生じ易くなる。  
この点につき、上述の画像読み取り装置にあっては、前記暗電流等に起因した画質の低下が生じ易い、前記ばらつきの大きさが大きい場合には、第１制御を行う一方、前記画質の低下が生じ難い、前記ばらつきの大きさが小さい場合には、第２制御が行われる。よって、前記画質の低下を確実に抑制しつつも、不必要に第１制御を行って無駄に読み取り速度を落としてしまうことを有効に防ぐことができる。
【００２５】
かかる画像読み取り装置において、
前記条件情報は、前記第１制御及び前記第２制御の何れか一方が選択されたことを示す情報であり、
前記情報をユーザーが入力するための入力部を備えているのが望ましい。  
このような画像読み取り装置によれば、ユーザーは、第１制御及び第２制御のいずれか一方を、その時の状況に応じて選択して実行できるので、利便性に優れたものとなる。
【００２６】
かかる画像読み取り装置において、
前記原稿を載置するための原稿台と、前記駆動機構によって前記所定方向に移動されるキャリッジとを有し、
前記キャリッジには、前記光源と前記光電変換素子とが固設されていても良い。
【００２７】
かかる画像読み取り装置において、
前記光源は、赤色成分の光のみを発する赤色発光ダイオードと、緑色成分の光のみを発する緑色発光ダイオードと、青色成分の光のみを発する青色発光ダイオードとを有し、
前記制御部は、各サイクルにおいて、前記所定時間おきに各色につき１回ずつ前記色順に前記発光ダイオードを点灯し、点灯から前記受光時間だけ経過後に消灯し、消灯後であって次の色の発光ダイオードの点灯前に、電荷を前記光電変換素子から取り出すようにしても良い。
【００２８】
かかる画像読み取り装置において、
前記サイクル毎に、前記検出信号の出力時点を起点として前記所定時間おきにクロックパルスを出力するクロックパルス生成部であって、前記検出信号の出力時点に同期させて最初のクロックパルスを出力するクロックパルス生成部を前記制御部は有し、
前記第１制御が選択された場合に前記制御部は、前記クロックパルス生成部から出力されるクロックパルスに基づいて、前記色順に前記発光ダイオードを点灯させるとともに、点灯に用いたクロックパルスの次のクロックパルスに基づいて電荷を前記光電変換素子から取り出す取り出し動作を行い、
前記サイクルにおける最後の色成分の電荷の取り出し後から前記検出信号の出力までの間に前記光電変換素子に蓄積される電荷を、前記検出信号の出力に基づいて廃棄するのが望ましい。  
このような画像読み取り装置によれば、所定時間おきに出力されるクロックパルスに基づいて各色成分の電荷を取り出すので、受光時間の終了から取り出しまでの間に光電変換素子に暗電流等に起因して蓄積される電荷を、各色成分に対して等しく揃えることができる。つまり、暗電流等の影響を、各色成分につき等しくすることができる。よって、画像の画質を良くすることができる。
【００２９】
かかる画像読み取り装置において、
前記第２制御が選択された場合に前記制御部は、前記クロックパルスに基づいて、前記色順に前記発光ダイオードを点灯させるとともに、点灯に用いたクロックパルスの次のクロックパルスに基づいて電荷を前記光電変換素子から取り出す取り出し動作を行い、
前記サイクルにおける最後の色成分については、前記検出信号の出力に基づいて前記最後の色成分の電荷を前記光電変換素子から取り出すようにしても良い。
【００３０】
かかる画像読み取り装置において、
前記画像の読み取り領域の最小単位に相当する相対移動量をＤとし、前記光電変換素子と前記原稿とを相対移動させるための移動速度の目標値をＶとすると、
前記第２制御が選択された場合の前記クロックパルスの出力周期ｔは、ｔ＝（Ｄ／Ｖ）／３に設定されるのが望ましい。  
このような画像読み取り装置によれば、前記第２制御が選択された場合に、光の赤色成分、緑色成分、及び、青色成分の各色成分の受光時間を均等に確保することができて、各色成分の受光時間が異なることによる読み取り不良現象を有効に抑えることができる。
【００３１】
かかる画像読み取り装置において、
前記光電変換素子は、前記所定方向と交差する交差方向に複数設けられていても良い。
【００３２】
また、原稿から画像を読み取るための画像読み取り装置であって、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行し、
前記条件情報は、前記画像の読み取り領域の最小単位を規定する読み取り解像度の情報であり、前記制御部は、前記読み取り解像度が第１解像度の場合には前記第１制御を選択する一方、前記読み取り解像度が前記第１解像度よりも低い第２解像度の場合には前記第２制御を選択し、
前記原稿を載置するための原稿台と、前記駆動機構によって前記所定方向に移動されるキャリッジとを有し、前記キャリッジには、前記光源と前記光電変換素子とが固設されており、
前記光源は、赤色成分の光のみを発する赤色発光ダイオードと、緑色成分の光のみを発する緑色発光ダイオードと、青色成分の光のみを発する青色発光ダイオードとを有し、前記制御部は、各サイクルにおいて、前記所定時間おきに各色につき１回ずつ前記色順に前記発光ダイオードを点灯し、点灯から前記受光時間だけ経過後に消灯し、消灯後であって次の色の発光ダイオードの点灯前に、電荷を前記光電変換素子から取り出し、
前記サイクル毎に、前記検出信号の出力時点を起点として前記所定時間おきにクロックパルスを出力するクロックパルス生成部であって、前記検出信号の出力時点に同期させて最初のクロックパルスを出力するクロックパルス生成部を前記制御部は有し、前記第１制御が選択された場合に前記制御部は、前記クロックパルス生成部から出力されるクロックパルスに基づいて、前記色順に前記発光ダイオードを点灯させるとともに、点灯に用いたクロックパルスの次のクロックパルスに基づいて電荷を前記光電変換素子から取り出す取り出し動作を行い、前記サイクルにおける最後の色成分の電荷の取り出し後から前記検出信号の出力までの間に前記光電変換素子に蓄積される電荷を、前記検出信号の出力に基づいて廃棄し、
前記第２制御が選択された場合に前記制御部は、前記クロックパルスに基づいて、前記色順に前記発光ダイオードを点灯させるとともに、点灯に用いたクロックパルスの次のクロックパルスに基づいて電荷を前記光電変換素子から取り出す取り出し動作を行い、前記サイクルにおける最後の色成分については、前記検出信号の出力に基づいて前記最後の色成分の電荷を前記光電変換素子から取り出し、
前記画像の読み取り領域の最小単位に相当する相対移動量をＤとし、前記光電変換素子と前記原稿とを相対移動させるための移動速度の目標値をＶとすると、前記第２制御が選択された場合の前記クロックパルスの出力周期ｔは、ｔ＝（Ｄ／Ｖ）／３に設定され、
前記光電変換素子は、前記所定方向と交差する交差方向に複数設けられていることを特徴とする画像読み取り装置。  
このような画像読み取り装置によれば、既述のほぼ全ての効果を奏するため、本発明の目的が最も有効に達成される。
【００３３】
コンピュータと、該コンピュータに通信可能に接続された、原稿から画像を読み取る画像読み取り装置とを備えた画像読み取りシステムであって、
前記画像読み取り装置は、
（Ａ）前記原稿に光を照射するための光源と、
（Ｂ）前記原稿からの光の赤色成分、緑色成分、及び、青色成分を選択的に受光して、受けた光の量に応じた量の電荷を蓄積する光電変換素子と、
（Ｃ）所定方向に前記光電変換素子と前記原稿とを相対移動させる駆動機構と、
（Ｄ）前記所定方向に関する前記光電変換素子と前記原稿との相対移動量を検出する検出センサであって、前記画像の読み取り領域の最小単位に相当する相対移動量毎に検出信号を出力する検出センサと、
（Ｅ）各色成分の光を、規定の色順で、各色成分につき一回ずつ、所定時間おきに所定の受光時間だけ前記光電変換素子に受光させる受光動作、及び、前記受光時間の受光の度に前記光電変換素子から電荷を取り出す取り出し動作を１サイクルとして、該サイクルを、前記検出センサから前記検出信号が出力される度に実行する制御部と、を備え、
前記制御部は、各サイクルにおける最後の色の電荷の取り出し動作後から前記検出信号の出力までの期間にて、前記光電変換素子の電荷を廃棄する廃棄処理を行う第１制御と、前記廃棄処理を行わない第２制御との何れか一方を、所定の条件情報に基づいて選択して実行することを特徴とする画像読み取りシステムの実現も可能である。
【００３４】
＝＝＝画像読み取りシステム２＝＝＝
図１乃至図３は、画像読み取りシステム２についての説明図である。図１は画像読み取りシステム２の斜視図である。図２は、画像読み取り装置１０の内部構成の説明図である。図３は画像読み取り装置１０のシステム構成の説明図である。
【００３５】
この画像読み取りシステム２は、図１に示すように、画像読み取り装置１０と、画像読み取り装置１０に通信可能に接続されたコンピュータ装置２０とを有している。
【００３６】
画像読み取り装置１０は、一般にイメージスキャナと呼ばれる装置であり、原稿台ガラス１２（原稿台に相当）と、この原稿台ガラス１２の上面部を開閉する原稿台カバー１４とを備えている。原稿台ガラス１２の上面部には、画像が読み取られる原稿１５がセットされる。原稿台ガラス１２の前方には操作パネル１８（入力部に相当）が設けられており、この操作パネル１８から各種設定の入力が可能である。
【００３７】
コンピュータ装置２０は、例えば、図１に示すように、コンピュータ本体２２と、表示装置２４と、入力装置２６とを備えている。コンピュータ本体２２としては、所謂パーソナルコンピュータなどが用いられ、ＣＰＵ（central  processing  unit）やＲＡＭ、ＲＯＭなどのメモリの他、ＦＤドライブ装置２８やＣＤ−ＲＯＭ／ＤＶＤドライブ装置３０などの読み取り装置３２を備えている。表示装置２４としては、ＣＲＴディスプレイや液晶ディスプレイなどが用いられる。また、入力装置２６としては、キーボード３４やマウス３６などが用いられる。
【００３８】
＝＝＝画像読み取り装置１０＝＝＝
図２に示すように、画像読み取り装置１０の内部には、キャリッジ４０と、このキャリッジ４０を、原稿台ガラス１２に対して所定の間隔を保ちつつ副走査方向に沿って平行に移動させる駆動機構４２と、キャリッジ４０を支持しつつ前記副走査方向に移動可能に案内するガイド４４とが設けられている。
【００３９】
キャリッジ４０には、原稿台ガラス１２を介して原稿１５に光を照射する光源としての露光ランプ４６と、原稿１５に反射された反射光が入射するレンズ４８と、レンズ４８を通じてキャリッジ４０の内部に取り込まれた前記反射光を受光するイメージセンサ５０とが設けられている。イメージセンサ５０は、光信号を電気信号に変換する光電変換素子８０が、前記副走査方向と直交する主走査方向（図２では紙面を貫通する方向）に沿って列状に配置されたリニアＣＣＤセンサ等から構成されている。イメージセンサ５０により読み取られた画像のデータは、アナログ信号の形態で制御部５２に出力される。
【００４０】
駆動機構４２は、キャリッジ４０に接続されたタイミングベルト５４と、このタイミングベルト５４が掛け渡された一対のプーリ５５，５６と、一方のプーリ５５を回転駆動する駆動モータ５８とを備えている。駆動モータ５８は所謂ＤＣモータ等であり、制御部５２からの制御信号によって駆動制御される。
【００４１】
制御部５２は、図３に示すように、コントローラ６０と、モータ制御部６２と、ランプ制御部６４と、イメージセンサ制御部６６と、ＡＦＥ（Analog Front End）部６８と、デジタル処理回路７０と、インターフェイス回路７２とを備えている。前述の操作パネル１８を含めて、これら各制御部や各回路６２，６４，６６，６８，７０，７２は、コントローラ６０と通信可能に接続されている。
【００４２】
コントローラ６０は、コンピュータ本体２２からの読み取り命令信号に基づき、モータ制御部６２やランプ制御部６４、イメージセンサ制御部６６、ＡＦＥ部６８、デジタル処理回路７０、インターフェイス回路７２を制御する。
【００４３】
モータ制御部６２は、コントローラ６０からの指令信号により、キャリッジ４０を移動させるための駆動モータ５８の駆動制御を行う。駆動制御としては、キャリッジ４０を所定の目標値の移動速度で定速に動かすべく所謂フィードバック制御が行われる。移動速度の目標値の情報は、コントローラ６０からの前記指令信号に付帯されている。移動速度の実績値は、駆動モータ５８に設けられたロータリー式エンコーダ９０（検出センサに相当）によって求められる。すなわち、図４に示すように、駆動モータ５８によりキャリッジ４０が１画素分に相当する移動量だけ副走査方向に移動する度に、前記エンコーダ９０からは検出信号ＥＰが出力されるが、この検出信号ＥＰはモータ制御部６２に送られて、この検出信号ＥＰに基づき適宜な制御周期でキャリッジ４０の移動速度の実績値が算出される。そして、その実績値が前記目標値に揃うようにモータ制御部６２は駆動モータ５８をフィードバック制御する。なお、上述の画素とは、画像を読み取る領域の最小単位のことであり、その大きさは、読み取り解像度に応じて定まる。例えば、読み取り解像度が３６０ｄｐｉ（ドット／インチ）の場合には画素の大きさは１／３６０インチとなる。
【００４４】
図３のランプ制御部６４は、露光ランプ４６の発光動作を制御する。イメージセンサ制御部６６は、イメージセンサ５０の各種動作を制御する。
【００４５】
ＡＦＥ部６８は、アナログ信号処理回路７４と、Ａ／Ｄ変換回路７６とを備えている。アナログ信号処理回路７４は、イメージセンサ５０から出力される画像のデータたるアナログ信号に対して信号処理を行う。Ａ／Ｄ変換回路７６は、アナログ信号処理回路７４により信号処理された画像の信号をデジタル信号へとＡ／Ｄ変換する。
【００４６】
デジタル処理回路７０は、ＡＦＥ部６８のＡ／Ｄ変換回路７６から送られてきたデジタル信号に対してデジタル信号処理を施す。ここでは、シェーディング補正等の補正処理をはじめ、画像処理などが施される。デジタル信号処理が施されたデジタル信号は、原稿１５から読み取られた画像のデータ（画像データ）としてインターフェイス回路７２を通して外部、すなわち当該画像読み取り装置１０が接続されたコンピュータ本体２２へと出力される。インターフェイス回路７２は、この他に、コンピュータ本体２２から画像読み取り装置１０への各種命令（コマンド）を受信する。
【００４７】
＝＝＝キャリッジ４０＝＝＝
図５は、キャリッジ４０の分解斜視図である。キャリッジ４０は、同図に示すように副走査方向（キャリッジ４０の移動方向）と直交する主走査方向に長い長尺体であり、画像を読み取る際には、前記副走査方向にスライド移動する。
【００４８】
キャリッジ４０内の下部にはイメージセンサ５０が設置されている。キャリッジ４０の上部には、イメージセンサ５０に光を入射させるためのレンズ４８が、原稿台ガラス１２に対向させて設けられている。レンズ４８には、原稿１５に反射された光が入射する。レンズ４８は、キャリッジ４０の長手方向（主走査方向）に沿って配置されている。また、キャリッジ４０の上部には、原稿台ガラス１２を介して原稿１５に光を照射する露光ランプ４６が、レンズ４８と平行に設けられている。このレンズ４８と露光ランプ４６の長手方向の長さＬｋは、原稿台ガラス１２上に載置される原稿１５の主走査方向の最大寸法に対応して設定されている。
【００４９】
キャリッジ４０の内部には、イメージセンサ５０が設けられた基板５１が配置されている。イメージセンサ５０は、同図に示すように、上述のレンズ４８に対応させて、主走査方向たるキャリッジ４０の長手方向に沿って設けられている。イメージセンサ５０の全長Ｌｓは、レンズ４８の全長Ｌｋに対応して設定されている。イメージセンサ５０の上面部には、複数の光電変換素子８０が前記長手方向（主走査方向）に沿って並んで配列されている（図９を参照）。
【００５０】
図６は、レンズ４８とイメージセンサ５０との位置関係を示す図である。レンズ４８は、複数の個別レンズ４９を有している。これら複数の個別レンズ４９は、レンズ４８の長手方向、すなわち主走査方向に沿って並んで配置されている。そして、各個別レンズ４９に入射した光は、イメージセンサ５０に設けられた複数の光電変換素子８０に受光される。
【００５１】
＝＝＝露光ランプ４６＝＝＝
図７は露光ランプ４６の斜視図である。この露光ランプ４６は、同図に示すように、導光体４７Ａと、互いに発光色の異なる３種類の発光ダイオード（以下ＬＥＤとも言う）とを備えている。３種類のＬＥＤは、赤色（Ｒ）光を発する赤色ＬＥＤ、緑色（Ｇ）光を発する緑色ＬＥＤ、青色（Ｂ）を発する青色ＬＥＤである。これら３種類のＬＥＤは、導光体４７Ａの端部４７Ｅに設けられている。
【００５２】
導光体４７Ａは、主走査方向たるレンズ４８の長手方向に沿って、レンズ４８と平行に配置されている。この導光体４７Ａは、その端部４７Ｅに設けられた３種類のＬＥＤから発せられた光を内部に導入して、その上部に設けられた露光面４７Ｆから上方の原稿１５へ向けて発光し、これにより、導光体４７Ａは、主走査方向の全幅に亘って原稿１５に光を照射する。
【００５３】
導光体４７Ａが発する光の色は、点灯されるＬＥＤの色に応じて決まる。つまり、赤色ＬＥＤが点灯されれば、導光体４７Ａは赤に発光し、また、緑色ＬＥＤが点灯されれば、導光体４７Ａは緑に発光し、また、青色ＬＥＤが点灯されれば、導光体４７Ａは青に発光する。
【００５４】
そして、イメージセンサ５０により原稿１５から画像が読み取られる際には、これら３種類のＬＥＤは、それぞれ個別に異なるタイミングで点灯される。つまり、赤色ＬＥＤが点灯しているときには、緑色ＬＥＤおよび青色ＬＥＤは消灯しており、また、緑色ＬＥＤが点灯しているときには、赤色ＬＥＤおよび青色ＬＥＤは消灯しており、また、青色ＬＥＤが点灯しているときには、赤色ＬＥＤおよび緑色ＬＥＤは消灯している。
【００５５】
図８は、この発光順の説明図である。ここでは、３種類のＬＥＤが、赤色（Ｒ）→緑色（Ｇ）→青色（Ｂ）の色順で、それぞれに所定の点灯時間Ｔだけ点灯され、これによって、露光ランプ４６は、赤色（Ｒ）→緑色（Ｇ）→青色（Ｂ）の色順で発光し、その結果、この色順で原稿１５も照らされる。そして、この赤色（Ｒ）→緑色（Ｇ）→青色（Ｂ）の発光動作を１サイクルとして、当該サイクルを繰り返すようになっている。なお、このサイクルは、前述のエンコーダ９０から検出信号ＥＰが出力される度に実行され、つまり、キャリッジ４０が１画素に相当する移動量だけ副走査方向に移動する度に、前記サイクルは１回ずつ行われる。
【００５６】
＝＝＝イメージセンサ５０＝＝＝
図９は、イメージセンサ５０の構成の説明図である。このイメージセンサ５０は、図９に示すように、主走査方向に沿って１列に所定ピッチＰで並べて配列された複数の光電変換素子８０と、各光電変換素子８０から取り出された電荷を所定の転送方向に転送する電荷転送部８２と、光電変換素子８０毎に電荷転送部８２との間にそれぞれ設けられたゲート８４と、電荷転送部８２の前記転送方向の一端に接続された検出回路８６とを備えている。
【００５７】
光電変換素子８０は、例えばフォトダイオード８０であり、受けた光の量に応じた電荷を発生し蓄積する。電荷転送部８２は所謂ＣＣＤ（charge-coupled device）から構成される。ゲート８４は、開状態でフォトダイオード８０の電荷を電荷転送部８２へ取り出す一方、閉状態では取り出さないものであり、このような開閉動作による電荷の取り出し動作は所謂ポテンシャル井戸を用いて達成されている。検出回路８６は、電荷転送部８２から順次送られる電荷を検出し、検出された電荷の量に応じたアナログ信号を電荷毎に出力する。
【００５８】
図１０は、イメージセンサ５０の動作の説明図である。露光ランプ４６が発光して、その光が原稿１５に反射されて各フォトダイオード８０に受光されると、各フォトダイオード８０には、それぞれ電荷が発生し蓄積される。そうしたら、各フォトダイオード８０に蓄積された電荷は、全てのゲート８４が一斉に開閉されることによって、フォトダイオード８０から電荷転送部８２へと一斉に移動され、これにより、各フォトダイオード８０から電荷が一斉に取り出される。そして、電荷転送部８２において主走査方向に並ぶ各電荷は、それぞれに、検出回路８６へとバケツリレーの要領で順次転送され、検出回路８６からは、検出された電荷の量に応じたアナログ信号が電荷毎に出力される。
【００５９】
このようなイメージセンサ５０の動作、すなわち、フォトダイオード８０の電荷の発生からアナログ信号の出力までの一連の動作は、前記露光ランプ４６の発光の度に、すなわち、赤色（Ｒ）、緑色（Ｇ）、及び、青色（Ｂ）の各発光動作の度にそれぞれ行われる。そして、このような３回の発光動作によって生成される計３色のアナログ信号が、イメージセンサ５０により読み取られた原稿１５の画像を構成する副走査方向の１画素分のデータになる。
【００６０】
＝＝＝露光ランプ４６及びイメージセンサ５０の動作タイミングについて＝＝＝
上述した露光ランプ４６の発光動作やイメージセンサ５０のゲート８４の開閉動作等の動作タイミングは、クロック信号Ｓｃにより規定されている。すなわち、このクロック信号Ｓｃに基づいて、ランプ制御部６４及びイメージセンサ制御部６６は互いに連携して露光ランプ４６及びイメージセンサ５０を制御して、上述の発光動作やゲート８４の開閉動作等を行う。なお、このクロック信号Ｓｃを生成するクロック信号生成回路１１０（クロックパルス生成部に相当）は、制御部５２に設けられている。
【００６１】
図１１は、クロック信号生成回路１１０の説明図である。同図に示すように、クロック信号生成回路１１０には、エンコーダ９０から前記検出信号ＥＰが入力される。そして、クロック信号生成回路１１０は、この検出信号ＥＰに基づいてクロック信号Ｓｃを生成し、生成されたクロック信号Ｓｃは、ランプ制御部６４及びイメージセンサ制御部６６に出力される。
【００６２】
図１２Ａは、クロック信号Ｓｃ、及び、このクロック信号Ｓｃに基づいて行われる露光ランプ４６の発光動作やイメージセンサ５０のゲート８４の開閉動作等の動作タイミングの説明図である。
【００６３】
クロック信号Ｓｃは、エンコーダ９０から検出信号ＥＰが出力される度に生成される。そして、このクロック信号Ｓｃは、３つのクロックパルスＣＰ（＃１），ＣＰ（＃２），ＣＰ（＃３）を有している。１番目のクロックパルスＣＰ（＃１）は、エンコーダ９０の検出信号ＥＰの立ち上がりエッジと同期して出力され、また、２番目のクロックパルスＣＰ（＃２）は、前記１番目のクロックパルスＣＰ（＃１）の立ち上がりエッジから所定時間ｔだけ経過後に出力され、更に、３番目のクロックパルスＣＰ（＃３）は、前記２番目のクロックパルスＣＰ（＃２）の立ち上がりエッジから所定時間ｔだけ経過後に出力される。いずれのクロックパルスＣＰ（＃１），ＣＰ（＃２），ＣＰ（＃３）も同形状の矩形パルスである。なお、同図中では、３番目のクロックパルスＣＰ（＃３）の立ち上がりエッジから、その次のサイクルの１番目のクロックパルスＣＰ（＃１）の立ち上がりエッジまでの時間をｔ’と表記しているが、これは、検出信号ＥＰの出力遅れに応じて前記１番目のクロックパルスＣＰ（＃１）の出力タイミングが変動し、前記所定時間ｔになるとは限らないためである。すなわち、検出信号ＥＰの出力遅れのない理想状態の場合には、同図に示すように前記ｔ’は前記所定時間ｔに一致する。
【００６４】
そして、同図に示すように、１番目のクロックパルスＣＰ（＃１）が出力されると、その立ち下がりエッジを起点とする所定時間ｔｌだけ経過後に、露光ランプ４６の赤色ＬＥＤが所定の点灯時間Ｔだけ点灯する。すると、イメージセンサ５０の各フォトダイオード８０には、概ね前記点灯時間Ｔに受けた赤色光の量に応じた電荷が蓄積される。
【００６５】
これら各電荷は、２番目のクロックパルスＣＰ（＃２）の立ち上がりエッジに同期して前記ゲート８４が一斉に開閉することにより、各フォトダイオード８０から電荷転送部８２へ取り出される。なお、ゲート８４の開状態の時間幅は、クロックパルスＣＰのパルス幅ｔｃと同じである。そして、ゲート８４が閉じる時点たる前記クロックパルスＣＰ（＃２）の立ち下がりエッジから、所定時間ｔｔ経過後において、電荷転送部８２は、検出回路８６への電荷の転送動作を開始し、しかる後、検出回路８６による電荷の検出が全電荷に対して終了したら、転送動作を停止する。これにより、検出回路８６からは赤色に関するアナログ信号が電荷毎に出力される。
【００６６】
また、前記２番目のクロックパルスＣＰ（＃２）の立ち下がりエッジに基づいては、この立ち下がりエッジを起点とする所定時間ｔｌだけ経過後に、露光ランプ４６の緑色ＬＥＤが点灯時間Ｔだけ点灯する。すると、今度は、各フォトダイオード８０には、概ね前記点灯時間Ｔに受けた緑色光の量に応じた電荷が蓄積される。これら各電荷は、３番目のクロックパルスＣＰ（＃３）の立ち上がりエッジに同期して前記ゲート８４が一斉に開閉することにより、各フォトダイオード８０から電荷転送部８２へ取り出される。そして、前記ゲート８４が閉じる時点たる前記クロックパルスＣＰ（＃３）の立ち下がりエッジから、所定時間ｔｔだけ経過後において、電荷転送部８２は、検出回路８６への電荷の転送動作を開始し、しかる後、検出回路８６による電荷の検出が全電荷に対して終了したら、転送動作を停止する。これにより、検出回路８６からは緑色に関するアナログ信号が電荷毎に出力される。
【００６７】
更に、前記３番目のクロックパルスＣＰ（＃３）の立ち下がりエッジに基づいては、この立ち下がりエッジを起点とする所定時間ｔｌだけ経過後に、露光ランプ４６の青色ＬＥＤが点灯時間Ｔだけ点灯する。すると、今度は、各フォトダイオード８０には、概ね前記点灯時間Ｔに受けた青色光の量に応じた電荷が蓄積される。これら各電荷は、エンコーダ９０の次の検出信号ＥＰに同期して出力される１番目のクロックパルスＣＰ（＃１）の立ち上がりエッジに同期して前記ゲート８４が一斉に開閉することにより、フォトダイオード８０から電荷転送部８２へ取り出される。そして、前記ゲート８４が閉じる時点たる前記クロックパルスＣＰ（＃１）の立ち下がりエッジから、所定時間ｔｔだけ経過後において、電荷転送部８２は、検出回路８６への電荷の転送動作を開始し、しかる後、検出回路８６による電荷の検出が全電荷に対して終了したら、転送動作を停止する。これにより、検出回路８６からは青色に関するアナログ信号が電荷毎に出力される。
【００６８】
以上により、検出回路８６からは赤緑青（ＲＧＢ）の計３色のアナログ信号が出力され、もって、前記副走査方向に関して１画素分の画像が読み取られたことになる。そして、これを１サイクルとして、当該サイクルを、エンコーダ９０からの検出信号ＥＰの出力の度に繰り返し、これによって、原稿から画像が読み取られる。以下では、これを第２制御と呼ぶ。
【００６９】
＝＝＝第２制御の問題、及び、この問題の無い第１制御について＝＝＝
但し、この第２制御にあっては、前記サイクルの３色目たる青色光の電荷に起因して、読み取られた画像の画質の低下を招いてしまう虞がある。すなわち、３色目の青色光の電荷が、前記点灯時間Ｔにて本来蓄積されるべき電荷の量よりも多くなってしまうことがある。
【００７０】
この原因は、キャリッジ４０の副走査方向の移動速度にばらつきがある場合に、このばらつきに起因して、図１２Ｂに示すように、３色目の青色光に関して、その点灯時間Ｔの終了からエンコーダ９０の検出信号ＥＰが出力されるまでの時間が、図１２Ａに示した理想状態よりも遅延時間ｔｄだけ長く延びてしまうことに因る。つまり、青色ＬＥＤの点灯時間Ｔの終了後において青色ＬＥＤが点灯されていなくても、フォトダイオード８０には暗電流等により電荷が蓄積されることがあり得て、エンコーダ９０からの検出信号ＥＰの出力が遅延時間ｔｄだけ遅れてしまうと、当該青色光の電荷だけが、本来の蓄積量よりも余分に蓄積されてしまうからである。そして、この青色光の余分の電荷の蓄積は、当該電荷に基づいて生成される画像のデータの精度に直接影響し、もって、読み取って得られた画像の画質低下を招くことになる。
【００７１】
そこで、このような画質低下を抑制すべく、この画像読み取り装置１０では、上述の第２制御以外に、次のような第１制御も実行可能となっている。  
図１２Ｃは、この第１制御によりなされる露光ランプ４６の発光動作やイメージセンサ５０のゲート８４の開閉動作等の動作タイミングの説明図である。ここで、第２制御との主な相違点は、前述の第２制御では、エンコーダ９０の検出信号ＥＰの出力毎にクロックパルスＣＰが３つ出力されていたところ、この第１制御では、１番目から４番目までの４つのクロックパルスＣＰ（＃１），ＣＰ（＃２），ＣＰ（＃３），ＣＰ（＃４）が前記所定時間ｔおきに出力されている点と、その４番目のクロックパルスＣＰ（＃４）に基づいて行われる３色目たる青色光の電荷の取り出し動作（ゲート８４の開閉動作）の後に、暗電流等により余分に蓄積される電荷を廃棄する廃棄処理が行われる点にある。
【００７２】
すなわち、図１２Ｃに示すように、この第１制御では、第２制御と同様に、先ず１番目のクロックパルスＣＰ（＃１）に基づいて赤色ＬＥＤの点灯動作が行われ、２番目のクロックパルスＣＰ（＃２）に基づいて、赤色光の電荷の電荷転送部８２への取り出し動作と、赤色光の電荷の検出回路８６への転送動作と、緑色ＬＥＤの点灯動作とが行われ、また、３番目のクロックパルスＣＰ（＃３）に基づいて、緑色光の電荷の電荷転送部８２への取り出し動作と、緑色光の電荷の検出回路８６への転送動作と、青色ＬＥＤの点灯動作とが行われる。そして、この３色目の青色ＬＥＤの点灯時間Ｔだけ青色光を受けたフォトダイオード８０は、概ね前記点灯時間Ｔに受けた青色光の量に応じた電荷を蓄積している。ここまでは、前述の第２制御と同じである。
【００７３】
そうしたら、この第１制御では、前記各フォトダイオード８０に蓄積された３色目の青色光の電荷は、エンコーダ９０からの次の検出信号ＥＰの出力タイミングではなくて、４番目のクロックパルスＣＰ（＃４）の立ち上がりエッジにおいて各フォトダイオード８０から電荷転送部８２へと取り出される。すなわち、前記ゲート８４は、４番目のクロックパルスＣＰ（＃４）の立ち上がりエッジにて開けられる。そして、前記ゲート８４が閉じる時点たる前記クロックパルスＣＰ（＃４）の立ち下がりエッジから、所定時間ｔｔ経過後において、電荷転送部８２は、検出回路８６への電荷の転送動作を開始し、しかる後、検出回路８６による電荷の検出が全電荷に対して終了したら、転送動作を停止する。
【００７４】
そして、前記次の検出信号ＥＰの立ち上がりエッジと同期して出力される１番目のクロックパルスＣＰ（＃１）では、再び前記ゲート８４が開閉されてフォトダイオード８０から電荷が取り出されるが、その際には、３色目の青色光の電荷の取り出し動作の後（クロックパルスＣＰ（＃４）の立ち下がりエッジにて行われるゲート８４の閉動作）から前記次の検出信号ＥＰの出力までの間に暗電流等起因でフォトダイオード８０に蓄積される余分な電荷が廃棄されることになる。よって、前記検出信号ＥＰの出力遅れが生じても、この廃棄処理によって、余分な電荷に起因した画質低下を起こすことは抑制されるのである。
【００７５】
但し、この第１制御は、電荷の廃棄処理を行う分だけ、第１制御よりも読み取り速度が遅くなるという短所がある。すなわち、図１２Ａと図１２Ｃの対比から明らかなように、図１２Ｃの第１制御では、４番目のクロックパルスＣＰ（＃４）を発生させる分の所定時間ｔだけ、図１２Ａの第２制御よりも読み取りに要する時間が長くなってしまう。  
従って、この画像読み取り装置１０では、以下で説明するように、その画像を読み取る際の条件に応じて、第１制御又は第２制御を択一的に選択して画像の読み取りを行うようになっている。
【００７６】
ちなみに、図１２Ｃにおいて、４番目のクロックパルスＣＰ（＃４）の立ち上がりエッジから、その次のサイクルの１番目のクロックパルスＣＰ（＃１）までの時間をｔ’と表記しているが、これは、第２制御の説明の際に述べたように、検出信号ＥＰの出力遅れに応じて前記１番目のクロックパルスＣＰ（＃１）の出力タイミングが変動するためである。よって、検出信号ＥＰの出力遅れの無い理想状態の場合には、同図に示すように前記ｔ’は前記所定時間ｔに一致する。
【００７７】
＝＝＝第１制御及び第２制御を選択する際に考慮する条件について＝＝＝
画像を読み取る際に第１制御及び第２制御のいずれを用いるかの選択は、画像の読み取り前に、コントローラ６０により、以下の条件に基づいて判断される。そして、この選択結果を、コントローラ６０はクロック信号生成部１１０へ送信し、選択結果に対応する制御のクロックパルス数のクロック信号Ｓｃを、クロック信号生成部１１０は生成する。
【００７８】
（１）副走査方向の読み取り解像度
通常、読み取り解像度が高い場合には画質が問われ、低い場合には読み取り速度が問われる。そこで、副走査方向の読み取り解像度の設定が、第１解像度と、この第１解像度よりも低い第２解像度との２通りの設定が可能な場合には、コントローラ６０は、前記読み取り解像度に基づいて、次のようにして、第１制御又は第２制御を択一的に選択しても良い。
【００７９】
すなわち、図１３のフロー図に示すように、Ｓ１０２のステップにおいてコンピュータ装置２０からコントローラ６０に送信される読み取り命令信号に、副走査方向の読み取り解像度が第１解像度であるとの情報が付帯されていた場合には、コントローラ６０は第１制御を選択する一方（Ｓ１０４，Ｓ１０６）、第２解像度であるとの情報が付帯されていた場合には、第２制御を選択する（Ｓ１０４，Ｓ１０８）。
【００８０】
ちなみに、クロックパルスＣＰの出力周期たる前述の所定時間ｔは、主に電荷転送部８２の転送速度等に基づいて定まってしまう固定値であって、普通は変えることができない。よって、キャリッジ４０の１画素分の移動量毎に出力されるエッジ信号ＥＰ同士の間に、４つ又は３つのクロックパルスＣＰを確実に出力させるための調整は、主として、キャリッジ４０の移動速度の目標値の設定で行われる。
【００８１】
すなわち、第１制御が選択された場合には、キャリッジ４０の移動速度の目標値Ｖ１ａは、下式１で求められる値に設定される。なお、下式１中の「Ｄ１」は、前記第１解像度に対応する副走査方向の画素の大きさ（キャリッジ４０の移動量）である。  
Ｖ１ａ＝Ｄ１／（４×ｔ）    ……式１
そして、この目標値Ｖ１ａによれば、第１制御において、各サイクルの中に４つのクロックパルスＣＰを確実に出力させることができる。
【００８２】
他方、第２制御が選択された場合には、キャリッジ４０の移動速度の目標値Ｖ２ａは、下式２で求められる値に設定される。なお、下式２中の「Ｄ２」は、前記第２解像度に対応する副走査方向の画素の大きさである。  
Ｖ２ａ＝Ｄ２／（３×ｔ）    ……式２
そして、この目標値Ｖ２ａによれば、第２制御において、各サイクルの中に３つのクロックパルスＣＰを確実に出力させることができる。
【００８３】
（２）キャリッジ４０の移動速度の目標値
一般に制御対象が速度の場合には、その速度が低速なほど、その物体を移動する際に生じる摺動摩擦等の機械的抵抗などに起因して制御性が悪くなる。このことは、キャリッジ４０を、所定の目標値の移動速度で定速に移動させる場合にも言えて、前記移動速度の目標値が低ければ低いほど、フィードバック制御の制御性が悪くなる。つまり、前記目標値が低ければ低いほど、移動速度の変動量が大きくなってエンコーダ９０の検出信号ＥＰの出力遅れが大きくなり、もって、前述の暗電流等に起因した画質の低下が生じ易くなる。
【００８４】
そこで、キャリッジ４０の移動速度の目標値の設定につき、第１速度Ｖ１ｂと、この第１速度Ｖ１ｂよりも高速の第２速度Ｖ２ｂとの２通りの設定が可能な場合には、コントローラ６０は、前記移動速度の目標値Ｖ１ｂ，Ｖ２ｂに基づいて、次のようにして、第１制御又は第２制御を択一的に選択しても良い。
【００８５】
すなわち、図１４のフロー図に示すように、ステップＳ２０２おいてコンピュータ装置２０からコントローラ６０に送信される読み取り命令信号に、キャリッジ４０の移動速度の目標値として第１速度Ｖ１ｂの情報が付帯されていた場合には、コントローラ６０は第１制御を選択する一方（Ｓ２０４，Ｓ２０６）、第２速度Ｖ２ｂの情報が付帯されていた場合には、第２制御を選択する（Ｓ２０４，Ｓ２０８）。
【００８６】
なお、この場合において前記所定時間ｔは、移動速度の目標値Ｖ１ｂ，Ｖ２ｂに基づいて以下のように定められている。すなわち、第１制御の所定時間ｔは、下式３で求められる値に設定されている一方、第２制御の所定時間ｔは、下式４で求められる値に設定されている。  
ｔ＝Ｄ／（Ｖ１ｂ×４）  ……式３
ｔ＝Ｄ／（Ｖ２ｂ×３）  ……式４
なお、上式３及び上式４中の「Ｄ」は、読み取り解像度に対応する副走査方向の画素の大きさである。また、上式３中の分母に「４」が存在し、上式４中の分母に「３」が存在する理由は、第１制御では各サイクル中に４つのクロックパルスＣＰを生成しなければならず、第２制御では各サイクル中に３つのクロックパルスＣＰを生成しなければならないからである。
【００８７】
（３）キャリッジ４０の移動速度のばらつき
一般にキャリッジ４０の移動速度のばらつきが大きい場合には、エンコーダ９０の検出信号ＥＰの出力遅れも大きくなり、その結果、前述した暗電流等に起因した画質の低下が生じ易くなる。そこで、当該移動速度のばらつきの大きさに基づいて、次のようにして、第１制御又は第２制御を択一的に選択しても良い。
【００８８】
すなわち、図１５のフロー図に示すように、ステップＳ３０２においてコンピュータ装置２０からコントローラ６０に送信される読み取り命令信号に付帯された移動速度のばらつきの情報が、所定の閾値以上の場合には、コントローラ６０は第１制御を選択する一方（Ｓ３０４，Ｓ３０６）、前記閾値未満の場合には、第２制御を選択する（Ｓ３０４，Ｓ３０８）。
【００８９】
なお、キャリッジ４０の移動速度のばらつきは、定期的に調査されて、その調査の都度、コンピュータ装置２０の前記メモリに記録更新される。  
移動速度のばらつきは、例えば、キャリッジ４０を所定の目標値Ｖｃの移動速度で移動させて、その移動中における移動速度の実績値Ｖｒと目標値Ｖｃとの速度偏差ΔＶに基づいて求められる。
【００９０】
ここで、移動速度の実績値Ｖｒはエンコーダ９０の検出信号ＥＰの出力周期に基づいて求められる。すなわち、検出信号ＥＰが出力される移動量Ｌは既知なので、エンコーダ９０の検出信号ＥＰが出力される時間間隔Ｘを計測することにより、移動速度の実績値Ｖｒは下式５で求められる。  
Ｖｒ＝Ｌ／Ｘ    ……式５
そして、式５に基づいて、所定のサンプル数だけ速度偏差ΔＶを求めたら、これら速度偏差ΔＶの最大値ΔＶｍａｘ又は平均値ΔＶａｖｅを前記目標値Ｖｃで除算して速度変動率を求める。この速度変動率が、前述の移動速度のばらつきである。
【００９１】
（４）      操作パネル１８からの入力
図１の操作パネル１８に、第１制御及び第２制御を選択するための選択ボタンを設けて、選択結果をユーザーに入力させても良い。
【００９２】
すなわち、図１６のフロー図に示すように、ステップＳ４０２において操作パネル１８からコントローラ６０に送信される選択結果の情報が、第１制御が選択されたことを示す情報の場合には、コントローラ６０は第１制御を選択する一方（Ｓ４０４,Ｓ４０６）、第２制御であることを示す情報の場合には、第２制御を選択する（Ｓ４０４，Ｓ４０８）。そして、このようにすれば、ユーザーは、第１制御及び第２制御のいずれか一方を、その時の状況に応じて自由に選択して実行できるので、利便性に優れる。
【００９３】
＝＝＝その他の実施の形態＝＝＝
以上、本発明にかかる画像読み取り装置等について一実施形態を例にして説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に含まれるものである。
【００９４】
＜光電変換素子８０と原稿１５との副走査方向に関する相対移動について＞
前述の実施形態では、原稿１５を原稿台ガラス１２に載置固定するとともに、この原稿１５に対して、キャリッジ４０の光電変換素子８０を副走査方向に移動させていたが、何等これに限るものではなく、逆にしても良い。すなわち、光電変換素子８０を画像読み取り装置１０の副走査方向の所定位置に固設するとともに、前記光電変換素子８０に対して原稿１５の方を、自動原稿送り装置等によって副走査方向に移動させるようにしても良い。
【００９５】
＜原稿１５からの光を、赤色成分、緑色成分、及び、青色成分に区別して光電変換素子８０に受光させる方法について＞
前述の実施形態では、光源としての露光ランプ４６に赤色ＬＥＤ、緑色ＬＥＤ、及び青色ＬＥＤを設けて、当該光源側で赤色成分、緑色成分、及び、青色成分に区別して発光することにより、赤色成分、緑色成分、及び、青色成分に区別して光電変換素子８０に受光させていたが、何等これに限るものではない。例えば、光源として白色光源を使用するとともに、光電変換素子８０毎に、赤色成分のみを透過するフィルター、緑色成分のみを透過するフィルター、及び、青色成分のみを透過するフィルターを設けて、これら３種類のフィルターを上記白色光源の点灯毎に切り替えて光電変換素子８０に受光させるようにしても良い。
【図面の簡単な説明】
【００９６】
【図１】画像読み取りシステム２の斜視図である。
【図２】画像読み取り装置１０の内部構成の説明図である
【図３】画像読み取り装置１０のシステム構成の説明図である。
【図４】エンコーダ９０から出力される検出信号ＥＰの説明図である。
【図５】キャリッジ４０の分解斜視図である。
【図６】レンズ４８とイメージセンサ５０との位置関係を示す図である。
【図７】露光ランプ４６の斜視図である。
【図８】露光ランプ４６の発光順の説明図である。
【図９】イメージセンサ５０の構成の説明図である。
【図１０】イメージセンサ５０の動作の説明図である。
【図１１】クロック信号生成回路１１０の説明図である。
【図１２Ａ】クロック信号Ｓｃに基づいて行われる露光ランプ４６の発光動作やイメージセンサ５０のゲート８４の開閉動作等の動作タイミングの説明図である。
【図１２Ｂ】第２制御の問題の説明図である。
【図１２Ｃ】第１制御によりなされる露光ランプ４６の発光動作やイメージセンサ５０のゲート８４の開閉動作等の動作タイミングの説明図である。
【図１３】副走査方向の読み取り解像度に基づいて、第１制御及び第２制御のいずれかを選択する場合のフロー図である。
【図１４】キャリッジ４０の移動速度の目標値に基づいて、第１制御及び第２制御のいずれかを選択する場合のフロー図である。
【図１５】キャリッジ４０の移動速度のばらつきに基づいて、第１制御及び第２制御のいずれかを選択する場合のフロー図である。
【図１６】操作パネル１８からの入力に基づいて、第１制御及び第２制御のいずれかを選択する場合のフロー図である。
【図１７Ａ】第２制御による受光動作及び電荷取り出し動作の動作タイミングの説明図である。
【図１７Ｂ】第２制御の問題の説明図である。
【図１７Ｃ】第１制御による受光動作及び電荷取り出し動作の動作タイミングの説明図である。
【符号の説明】
【００９７】
２  画像読み取りシステム、１０  画像読み取り装置、１２  原稿台ガラス、
１４  原稿台カバー、１５  原稿、１８  操作パネル、
２０  コンピュータ装置、２２  コンピュータ本体、２４  表示装置、
２６  入力装置、２８  ＦＤドライブ装置、
３０  ＣＤ−ＲＯＭ／ＤＶＤドライブ装置、３２  読み取り装置、
３４  キーボード、３６  マウス、４０  キャリッジ、
４２  駆動機構、４４  ガイド、４６  露光ランプ、
４７Ａ  導光体、４７Ｅ  端部、４７Ｆ  露光面、
４８  レンズ、４９  個別レンズ、
５０  イメージセンサ、５１  基板、５２  制御部、
５４  タイミングベルト、５５  プーリ、５６  プーリ、５８  駆動モータ、
６０  コントローラ、６２  モータ制御部、６４  ランプ制御部、
６６  イメージセンサ制御部、６８  ＡＦＥ部、
７０  デジタル処理回路、７２  インターフェイス回路、
７４  アナログ信号処理回路、７６  Ａ／Ｄ変換回路、
８０  光電変換素子（フォトダイオード）、８２  電荷転送部、
８４  ゲート、８６  検出回路、９０  エンコーダ、
１１０  クロック信号生成回路
【図１】
2008005117.tif 000003
【図２】
2008005117.tif 000004
【図３】
2008005117.tif 000005
【図４】
2008005117.tif 000006
【図５】
2008005117.tif 000007
【図６】
2008005117.tif 000008
【図７】
2008005117.tif 000009
【図８】
2008005117.tif 000010
【図９】
2008005117.tif 000011
【図１１】
2008005117.tif 000012
【図１２Ａ】
2008005117.tif 000013
【図１２Ｂ】
2008005117.tif 000014
【図１３】
2008005117.tif 000015
【図１４】
2008005117.tif 000016
【図１５】
2008005117.tif 000017
【図１６】
2008005117.tif 000018
【図１７Ａ】
2008005117.tif 000019
【図１７Ｂ】
2008005117.tif 000020
【図１７Ｃ】
2008005117.tif 000021
【図１０】
2008005117.tif 000022
【図１２Ｃ】
2008005117.tif 000023